(57)【特許請求の範囲】
【請求項１】
内部に棒状化粧料５を繰出し自在に収容する円筒状の外筒３とこの外筒３内の棒状化粧料５を繰出す回動操作部６と上記外筒３に冠着される有天筒状のキャップ４とを備えた棒状化粧料繰出容器のキャップ構造であって、上記回動操作部６の上面から、上記キャップ４の下端部に内嵌される段部１１を突設し、上記キャップ４の内周面を周方向に多角形に形成し、この多角形の少なくとも一つの角部に位置決め用の突部１３を、上記キャップ４の下端面から天井面にわたって設け、上記段部１１の外周面を、上記キャップ４の内周面に摺動自在に係合する多角形に形成し、この多角形の上記突部１３に対応する部分を面取りし、キャップ４の下端部を回動操作部６の段部１１に内嵌する際に、上記面取り部分１２で上記突部１３を上下方向にガイドして適正位置に位置決めするように構成したことを特徴とするキャップ構造。
【発明の詳細な説明】
【０００１】
【発明の属する技術分野】
この発明は、キャップ構造に関するものである。
【０００２】
【従来の技術】
一般に、口紅等の棒状化粧料の容器としては、図１０に示すようなものが使用されている。すなわち、この容器は、両側にガイド突起１ａが突設された繰出筒１と、両側に相対峙して縦穴２ａが穿設された内筒２と、内周面に２本のらせん溝３ａが刻設された外筒３と、この外筒３に冠着されるキャップ４とを備えている。図において、５は繰出筒１に固着された棒状化粧料であり、６は内筒２の下部に設けた回動操作部である。このような容器の組み立て作業では、内筒２の上側に繰出筒１を配置して上記内筒２の縦穴２ａに繰出筒１のガイド突起１ａを位置合わせし、ついで、繰出筒１を下降させ、内筒２の縦穴２ａに繰出筒１のガイド突起１ａを係合させた状態で内筒２内に繰出筒１を収容する。つぎに、この内筒２の上側に外筒３を配置して内筒２の縦穴２ａから突出するガイド突起１ａに外筒３のらせん溝３ａの下端を位置合わせし、そののち、外筒３を下降させ、ガイド突起１ａに外筒３のらせん溝３ａを係合させた状態で内筒２に外筒３を外嵌することを行う。
【０００３】
このようにして組み立てられた棒状化粧料容器は、外筒３が内筒２に対して相対回転自在であり、外筒３を内筒２に対して相対回転させることにより、その回転に伴い外筒３のらせん溝３ａと内筒２の縦穴２ａとの交点が上下に移動する。そして、縦穴２ａとらせん溝３ａに係合しているガイド突起１ａが必然的に上記交点に位置決めされることになり、上記交点の上下移動に追従して繰出筒１が昇降する。また、上記ガイド突起１ａの上昇位置および下降位置は、上記縦穴２ａに設けられた上下の横穴２ｂに位置決めされる。
【０００４】
このような棒状化粧料容器では、外観を良くするため、キャップ４や回動操作部６の外周面に一連の模様（図１０では、鮮やかな色彩の直線状模様）７を施す場合がある。この場合には、通常、キャップ４の下端面に位置決め用の凸部４ａを突設し、回動操作部６の上端面に、上記凸部４ａに着脱自在に係合する凹部６ａを設け、上記凸部４ａを凹部６ａに係合させた状態でキャップ４を冠着することにより、キャップ４の模様７と回動操作部６の模様７を一致させることが行われている。
【０００５】
【発明が解決しようとする課題】
しかしながら、この棒状化粧料容器では、キャップ４冠着時に、このキャップ４に対し、これを周方向に回そうとする外力が作用すると、この外力をキャップ４の凸部４ａと回動操作部６の凹部６ａとの係合部分だけで受け止めなければならず、この係合部分が早期に破損する。しかも、この棒状化粧料容器が周囲の他物と接触したり、衝突したりすると、上記係合部分が外部に露出しているため、損傷しやすい。
【０００６】
この発明は、このような事情に鑑みなされたもので、キャップを適正位置に位置決めすることができ、しかも、長期間破損したり、損傷したりすることのないキャップ構造の提供をその目的とする。
【０００７】
【課題を解決するための手段】
上記の目的を達成するため、この発明のキャップ構造は、内部に棒状化粧料を繰出し自在に収容する円筒状の外筒とこの外筒内の棒状化粧料を繰出す回動操作部と上記外筒に冠着される有天筒状のキャップとを備えた棒状化粧料繰出容器のキャップ構造であって、上記回動操作部の上面から、上記キャップの下端部に内嵌される段部を突設し、上記キャップの内周面を周方向に多角形に形成し、この多角形の少なくとも一つの角部に位置決め用の突部を、上記キャップの下端面から天井面にわたって設け、上記段部の外周面を、上記キャップの内周面に摺動自在に係合する多角形に形成し、この多角形の上記突部に対応する部分を面取りし、キャップの下端部を回動操作部の段部に内嵌する際に、上記面取り部分で上記突部を上下方向にガイドして適正位置に位置決めするように構成したという構成をとる。
【０００８】
すなわち、この発明のキャップ構造は、内部に棒状化粧料を繰出し自在に収容する円筒状の外筒とこの外筒内の棒状化粧料を繰出す回動操作部と上記外筒に冠着される有天筒状のキャップとを備えた棒状化粧料繰出容器のキャップ構造であって、上記回動操作部の上面から、上記キャップの下端部に内嵌される段部を突設している。そして、上記キャップの内周面を周方向に多角形に形成し、この多角形の少なくとも一つの角部に位置決め用の突部を設けている。また、上記回動操作部の段部の外周面を、上記キャップの内周面に摺動自在に係合する多角形に形成し、この多角形の上記突部に対応する部分を面取りしている。このものでは、キャップの下端部を回動操作部の段部に内嵌する際に、上記面取り部分で上記突部を上下方向にガイドして適正位置に位置決めすることができる。しかも、この発明のキャップ構造では、キャップ冠着時に、このキャップに対し、これを周方向に回そうとする外力が作用しても、この外力をキャップの内周面と、これに係合する回動操作部の段部の外周面とで受け止めているため、キャップの突部と回動操作部の段部の面取り部分には外力が殆ど作用しておらず、長期間にわたってキャップの突部や回動操作部の段部の面取り部分が破損することがない。さらに、キャップ冠着時に、このキャップや回動操作部の段部が他物と接触したり、衝突したりしても、キャップの突部および回動操作部の段部の面取り部分がキャップの内部に隠れているため、殆ど損傷しない。
【０００９】
【発明の実施の形態】
つぎに、この発明の実施の形態を図面にもとづいて詳しく説明する。
【００１０】
図１はこの発明のキャップ構造の一実施の形態を備えた棒状化粧料容器（口紅容器）を示している。この実施の形態では、（円筒状の外筒３が外嵌された）内筒２の下端部に形成された回動操作部６の外周面が、図２および図３に示すように、正六角形に形成されており、この回動操作部６の上面から、外筒３よりやや大きく、かつ、回動操作部６よりやや小さい段部１１が突設されている。この段部１１は、その外周面が正六角形に形成されているとともに、その６つの角部のうち、相対峙する２つの角部にアール（丸みのある面取り）が形成されている。一方、キャップ４は、図４〜図６に示すように、上記回動操作部６の上面に載置しうる正六角形の角筒体に形成されており、その内周面が、上記段部１１の外周面に上下方向に摺動自在に係合する正六角形に形成されている。そして、上記キャップ４の内周面の６つの角部のうち、相対峙する２つの角部に、上記段部１１の両アール部分１２に沿って上下方向にガイドされる位置決め用の突条（突部）１３が、キャップ４の下端面から天井面にかけて突設されている。図１において、１１ａは段部１１の６つの側面に突出形成された突部である。また、図５において、４ａはキャップ４の下端部内周面に突出形成された突部であり、キャップ４冠着時にキャップ４の突部４ａと段部１１の突部１１ａが抜け止め状に係合する。それ以外の部分は、図１０に示す棒状化粧料容器と同様であり、同様の作用を奏する。
【００１１】
上記構成において、キャップ４を回動操作部６の段部１１に冠着する際には、この段部１１の両アール部分１２にキャップ４の両突条１３を位置決めし、その状態でキャップ４を段部１１に外嵌状に押し込むことを行う（図７参照）。これにより、キャップ４を所望位置に位置決めした状態で冠着することができる。また、キャップ４の突部４ａが段部１１の各側面を摺動しながら突部１１ａを乗り越えたのち突部１１ａの下側でこの突部１１ａと係合し、これにより、キャップ４が上方に抜け出すのを防止している。
【００１２】
このように、上記実施の形態では、キャップ４を所望位置に位置決めして冠着することができる。しかも、回動操作部６の段部１１の外周面とキャップ４の内周面とが略当接状に係合しているため、キャップ４の冠着時に、このキャップ４に対し、これを周方向に回そうとする外力が作用しても、その大部分をキャップ４の内周面と段部１１の外周面とで受け止めることができ、耐久性が向上する。
また、上記段部１１の両アール部分１２は、キャップ４の両突条１３をガイドするだけであり、両突条１３に係合していないため、上記外力が作用しても、この外力が上記両アール部分１２，両突条１３に殆ど作用することがなく、これらが破損することもない。さらに、キャップ４の冠着時に、キャップ４の両突条１３および段部１１の両アール部分１２がキャップ４の内部に隠れているため、この状態で棒状化粧料容器が他物に接触したり、衝突したりしても、上記両アール部分１２，両突条１３が損傷することがない。そのうえ、キャップ４の両突条１３がキャップ４の下端面から天井面にかけて突設されているため、この突条１３が補強部材（補強リブ）として作用し、強度が向上する。
【００１３】
図８はこの発明のキャップ構造の他の実施の形態を備えた棒状化粧料容器（口紅容器）を示している。この棒状化粧料容器では、内筒２の下端部に形成された回動操作部６の外周面、およびこの回動操作部６の上面から突設される段部１１の外周面が正方形に形成されている。一方、キャップ４は、図９に示すように、上記回動操作部６の上面に載置しうる正方形の角筒体に形成されており、その内周面が、上記段部１１の外周面に上下方向に摺動自在に係合する正方形に形成されている。図８および図９では、キャップ４の突部４ａおよび段部１１の突部１１ａを省略している。それ以外の部分は上記実施の形態と同様であり、同様の部分には同じ符号を付している。この実施の形態でも、上記実施の形態と同様の作用・効果を奏する。
【００１４】
なお、上記各実施の形態では、棒状化粧料容器の段部１１の外周面および、これに対応するキャップ４の内周面を正六角形もしくは正方形に形成しているが、これに限定するものではなく、正多角形であれば、正三角形，正五角形，正六角形より角数の多い正多角形でもよいし、正多角形でなくてもよい。また、キャップ４の内周面に突設する突条１３の個数は、１個もしくは２個が好適である。ただし、キャップ４の内周面に形成される多角形が正多角形である場合には、この正多角形の角数と同数の突条１３を設けることができない。すなわち、この場合には、これら突条１３が位置決め用として機能しなくなるからである。
【００１５】
また、上記各実施の形態では、両突条１３の内周面がアール部分１２に当接していないが、当接していてもよい。この場合には、両突条１３の内周面とアール部分１２との間に摺動抵抗が生じ、キャップ４の抜け止め作用をする。また、上記各実施の形態では、キャップ４と段部１１との抜け止め防止用の係合を突部４ａ，１１ａで行うようにしているが、凸部と凹部との組み合わせにより行うようにしてもよい。
【００１６】
【発明の効果】
以上のように、この発明のキャップ構造によれば、キャップの下端部を回動操作部の段部に内嵌する際に、上記段部の外周面に設けた面取り部分で上記キャップの内周面に設けた突部を上下方向にガイドして適正位置に位置決めすることができる。しかも、この発明のキャップ構造では、キャップ冠着時に、このキャップに対し、これを周方向に回そうとする外力が作用しても、この外力をキャップの内周面と、これに係合する回動操作部の段部の外周面とで受け止めているため、キャップの突部と回動操作部の段部の面取り部分には外力が殆ど作用しておらず、長期間にわたってキャップの突部や回動操作部の段部の面取り部分が破損することがない。さらに、キャップ冠着時に、このキャップや回動操作部の段部が他物と接触したり、衝突したりしても、キャップの突部および回動操作部の段部の面取り部分がキャップの内部に隠れているため、殆ど損傷しない。
【図面の簡単な説明】
【図１】  この発明のキャップ構造の一実施の形態を用いた棒状化粧料容器を示す分解斜視図である。
【図２】  内筒に外筒を組付けた状態を示す正面図である。
【図３】  上記内筒に外筒を組付けた状態を示す平面図である。
【図４】  キャップの正面図である。
【図５】  上記キャップの底面図である。
【図６】  上記キャップの断面図である。
【図７】  回動操作部にキャップを冠着した状態を示す拡大説明図である。
【図８】  この発明のキャップ構造の他の実施の形態を用いた棒状化粧料容器を示す分解斜視図である。
【図９】  回動操作部にキャップを冠着した状態を示す拡大説明図である。
【図１０】  従来例の分解斜視図である。
【符号の説明】
４  キャップ
６  回動操作部
１１  段部
１２  アール部分
１３  突条
【図１】
0003943204.tif 000002
【図２】
0003943204.tif 000003
【図３】
0003943204.tif 000004
【図４】
0003943204.tif 000005
【図５】
0003943204.tif 000006
【図６】
0003943204.tif 000007
【図７】
0003943204.tif 000008
【図８】
0003943204.tif 000009
【図９】
0003943204.tif 000010
【図１０】
0003943204.tif 000011